(57)【特許請求の範囲】
【請求項１】
ユーザ・ネットワーク・インタフェースによる通信機能を夫々に備えたＡＴＭコネクション装置およびネットワークサービス制御装置がＡＴＭ網に接続され、
前記ユーザ・ネットワーク・インタフェースによる通信機能を備えた端末装置が前記ＡＴＭコネクション装置およびＡＴＭ網を介して他の端末装置と情報を授受するＡＴＭ網通信システムにおいて、
前記ネットワークサービス制御装置は、ユーザ・ネットワーク・インタフェースにより設定変更できる端末識別情報とそれに対応するＡＴＭ網での接続情報を少なくとも含む端末装置の接続情報を蓄積保持する端末接続情報記憶手段と、前記ユーザ・ネットワーク・インタフェースにより接続先の前記端末識別子情報が受信されると、当該受信した端末識別情報に対応するＡＴＭ網での接続情報が前記端末接続情報記憶手段から接続先端末情報として読み出され、該読み出された接続先端末情報を前記ユーザ・ネットワーク・インタフェースによって前記ＡＴＭコネクション装置に送信する手段とを備え、
前記ＡＴＭコネクション装置は、前記ネットワークサービス制御装置から受信した前記接続先端末情報で指定される着呼側端末装置とコネクションを確立する手段と、当該確立した着呼側端末装置とのコネクションと発呼側端末装置とのコネクションとを接続するコネクション切替手段とを備え、前記発呼側端末装置と前記着呼側装置間で情報授受をするようにした
ことを特徴とするＡＴＭ網通信システム。
【請求項２】
前記ＡＴＭコネクション装置は、前記ネットワークサービス制御装置から発呼側端末装置の接続情報を受信する手段と、当該受信した接続情報に基づき前記発呼側端末装置とのコネクションを確立する手段とを有する請求項１記載のＡＴＭ網通信システム。
【請求項３】
前記着呼側装置が前記ＡＴＭコネクション装置を経由して、発呼側ＡＴＭコネクション装置とのコネクションが確立されたら、該発呼側ＡＴＭコネクション装置とのコネクションと、接続している着呼側端末装置とのコネクションとを接続する
請求項１記載のＡＴＭ網通信システム。
【請求項４】
前記端末接続情報記憶手段には、さらに、端末装置が収容されているＡＴＭコネクション装置を特定する情報が端末装置に対応付けられて蓄積記憶されている
請求項１ないし３のいずれか記載のＡＴＭ網通信システム。
【請求項５】
前記ＡＴＭコネクション装置は、端末装置を無線回線を介して収容する基地局機能をさらに備え、端末接続情報記憶手段に記憶されているＡＴＭコネクション装置を特定する情報更新を前記ネットワークサービス制御装置に依頼する手段を有する
請求項４記載のＡＴＭ網通信システム。
【請求項６】
端末装置およびＡＴＭ網に接続制御する手段と、
当該接続している端末装置とのコネクションと当該接続しているＡＴＭ網を介した他装置とのコネクションとを接続するコネクション切替手段を有するＡＴＭコネクション装置と、
ユーザ・ネットワーク・インタフェースにより設定変更できる端末識別情報とそれに対応するＡＴＭ網での接続情報を少なくとも含む端末装置の接続情報を蓄積保持する端末接続情報記憶手段を有しＡＴＭ網に接続しているネットワークサービス制御装置と
を備えたＡＴＭ網でのデータ通信方法であって、
端末装置から前記ＡＴＭコネクション装置に相手端末装置への接続要求を送出するステップと、
前記ＡＴＭコネクション装置が前記接続要求を受信すると、前記ネットワークサービス制御装置にＡＴＭ網を介してコネクション接続するステップと、
該コネクション接続すると前記ネットワークサービス制御装置が、前記端末装置からの接続要求内容に対応する接続情報を前記端末接続記憶手段から読み出し、ユーザ・ネットワーク・インタフェースにより前記ＡＴＭコネクション装置に送信するステップと、
前記接続情報を前記ＡＴＭコネクション装置が受信すると、当該ＡＴＭコネクション装置と前記ネットワークサービス制御装置とのコネクションを切断するステップと、
前記ＡＴＭコネクション装置が前記受信した接続情報に基づきＡＴＭ網を介して接続先端末装置とのコネクションを確立するステップと、
前記ＡＴＭコネクション装置が前記コネクション切替手段により、前記端末装置または前記接続先端末装置からデータを受信したら他方の端末装置のコネクションにより当該受信したデータを送出するステップと
を有することを特徴とするＡＴＭ網データ通信方法。
【請求項７】
端末装置およびＡＴＭ網に接続制御する手段と、
当該接続している端末装置とのコネクションと当該接続しているＡＴＭ網を介した他装置とのコネクションとを接続するコネクション切替手段を有するＡＴＭコネクション装置と、
ユーザ・ネットワーク・インタフェースにより設定変更できる端末識別情報とそれに対応するＡＴＭ網での接続情報を少なくとも含む端末装置の接続情報を蓄積保持する端末接続情報記憶手段を有しＡＴＭ網に接続しているネットワークサービス制御装置と
を備えたＡＴＭ網でのデータ通信方法であって、
発呼側端末装置がＡＴＭ網を介して前記ネットワークサービス制御装置に接続するステップと、
前記発呼側端末装置からユーザ・ネットワーク・インタフェースにより前記発呼側端末装置からの接続要求内容に対応する接続情報を前記端末情報記憶手段から読み出すステップと、
該読み出した接続情報から接続先装置がＡＴＭコネクション装置を介して接続されていると判明した場合は、ネットワークサービス制御装置は、前記発呼側端末装置とのコネクションを切断し、該読み出されたＡＴＭコネクション装置と接続し、前記発呼側端末装置および接続先端末装置に関する情報を前記ユーザ・ネットワーク・インタフェースにより前記接続したＡＴＭコネクション装置に送信するステップと、
ＡＴＭコネクション装置が当該情報を受信すると、ＡＴＭコネクション装置とネットワークサービス制御装置とのコネクションを切断するステップと、
前記ＡＴＭコネクション装置が前記発呼側端末装置とＡＴＭ網を介してコネクションを確立し、接続先端末装置とコネクションを確立するステップと、
前記ＡＴＭコネクション装置は、前記コネクション切替手段により、前記端末装置または前記接続先端末装置からデータを受信したら他方の端末装置のコネクションにより当該受信したデータを送出するステップと
を有することを特徴とするＡＴＭ網データ通信方法。
【発明の詳細な説明】
【０００１】
【発明の属する技術分野】
本発明は回線接続サービスに利用する。本発明は私設番号計画に利用するに適する。特に、ユーザが回線接続サービスの設定内容を任意に変更することができる通信網に関する。本発明はＡＴＭ(Asynchronous Transfer Mode)通信に利用するに適する。
【０００２】
【従来の技術】
従来の通信接続サービス制御システムの一つとして、ＩＮ(Intelligent Network) がある。ＩＮは、交換網内に存在する制御装置が加入者端末情報を情報蓄積装置に持ち、交換機と固有のインタフェース（ＩＮＡＰ）を用いて、タイアップしながらサービスを提供している。
【０００３】
ＩＮでは、例えば、加入者端末相互間に専用網を設けた場合に、この専用網の情報を情報蓄積装置が持ち、ユーザがあらかじめ通信業者に申請することによりその専用網内で電話番号等の設定を任意に行うことができる。
【０００４】
また構内型通信接続サービス制御システムとして、ＰＢＸにて接続されたＬＡＮ内に制御装置を設置し、この装置によりこのＬＡＮに接続された端末に対して、ＣＴＩ(Computer Telephony Integration)インタフェースを用いて、サービスを提供する方式とすることもできる。
【０００５】
【発明が解決しようとする課題】
従来の方式の前者は、制御装置が交換網内にあり、制御装置により実現するサービスの仕様に変更が必要となったとき、ユーザが直接に手を加えることは許されず、交換網自体への変更が必要となり、大規模な変更作業・コストを要し、それにともなう交換網への影響も多大となる。
【０００６】
また、従来の方式の後者は、サービス要求可能領域が、前述したＬＡＮ内に限定され、交換網の外側にあるＬＡＮ内にある制御装置によるサービス実現は不可能である。
【０００７】
例えば、私設電話番号サービスの場合には、ユーザの申し出にしたがって、通信業者はユーザが希望する電話番号を設定することができるが、この設定された電話番号と、この電話番号に対応する回線の情報とは交換網内のデータ・ベースに格納されており、ユーザ側で電話番号の変更を行わなければならない事態が発生した場合には、ユーザは通信業者に申し出を行って、変更を依頼しなければならず、ユーザ側からみた利便性には改善の余地があるといわざるを得ない。
【０００８】
本発明は、このような背景に行われたものであって、交換機を管理する通信業者にかかわりなく、ユーザがサービス情報を管理することができるＡＴＭ通信網を提供することを目的とする。本発明は、ＬＡＮの内外にかかわりなくユーザが要求したサービスを実現することができるＡＴＭ通信網を提供することを目的とする。本発明は、小規模で開発が容易な通信網をユーザが自律的に設定することができるＡＴＭ通信網を提供することを目的とする。
【０００９】
【課題を解決するための手段】
サービス提供機能を有するネットワーク・サービス制御装置と、コネクション切替え機能を有するＡＴＭコネクション手段とをＡＴＭ交換網の外側に配置し、このＡＴＭ交換網とユーザ・ネットワーク・インタフェース（以下、ＵＮＩと記す）で接続する。
【００１０】
これにより、サービス要求端末への新サービス提供を実現するための制御信号を、ＡＴＭ交換網を介して送受することが可能になり、またサービス毎に異なるコネクション切替処理、ルーティング処理、およびタイミング処理をＡＴＭ交換網の外側で制御することができる。
【００１１】
したがって、ユーザが自律的に、例えば私設電話番号を設定することができる。すなわち、本発明では、従来のＩＮとは異なり、ユーザ情報を蓄積したデータベースを含むネットワーク・サービス制御装置をユーザの傍らに設置することができる。したがって、ユーザは、このネットワーク・サービス制御装置に登録されている内容に変更が生じた場合には、速やかに登録内容を変更することができる。
【００１２】
すなわち、本発明は、ユーザ・ネットワーク・インタフェースによる通信機能を夫々に備えたＡＴＭコネクション装置およびネットワークサービス制御装置がＡＴＭ網に接続され、前記ユーザ・ネットワーク・インタフェースによる通信機能を備えた端末装置が前記ＡＴＭコネクション装置およびＡＴＭ網を介して他の端末装置と情報を授受するＡＴＭ網通信システムにおいて、前記ネットワークサービス制御装置は、ユーザ・ネットワーク・インタフェースにより設定変更できる端末識別情報とそれに対応するＡＴＭ網での接続情報を少なくとも含む端末装置の接続情報を蓄積保持する端末接続情報記憶手段と、前記ユーザ・ネットワーク・インタフェースにより接続先の前記端末識別子情報が受信されると、当該受信した端末識別情報に対応するＡＴＭ網での接続情報が前記端末接続情報記憶手段から接続先端末情報として読み出され、該読み出された接続先端末情報を前記ユーザ・ネットワーク・インタフェースによって前記ＡＴＭコネクション装置に送信する手段とを備え、前記ＡＴＭコネクション装置は、前記ネットワークサービス制御装置から受信した前記接続先端末情報で指定される着呼側端末装置とコネクションを確立する手段と、当該確立した着呼側端末装置とのコネクションと発呼側端末装置とのコネクションとを接続するコネクション切替手段とを備え、前記発呼側端末装置と前記着呼側装置間で情報授受をするようにしたことを特徴とする。
【００１３】
なお、前記ＡＴＭコネクション装置は、前記ネットワーク制御装置から発呼側端末装置の接続情報を受信する手段と、当該受信した接続情報に基づき前記発呼側端末装置とのコネクションを確立する手段とを有することができる。また、前記着呼側装置が前記ＡＴＭコネクション装置を経由して、発呼側ＡＴＭコネクション装置とのコネクションが確立されたら、該発呼側ＡＴＭコネクション装置とのコネクションと、接続している着呼側端末装置とのコネクションとを接続することができる。また、前記端末接続情報記憶手段には、さらに、端末装置が収容されているＡＴＭコネクション装置を特定する情報が端末装置に対応付けられて蓄積記憶されていることができる。前記ＡＴＭコネクション装置は、端末装置を無線回線を介して収容する基地局機能をさらに備え、端末装置の移動に伴い、前記端末接続情報記憶手段に記憶されているＡＴＭコネクション装置を特定する情報更新を前記ネットワークサービス装置に依頼する手段を有することができる。
【００１４】
また、本発明は、端末装置およびＡＴＭ網に接続制御する手段と、当該接続している端末装置とのコネクションと当該接続しているＡＴＭ網を介した他装置とのコネクションとを接続するコネクション切替手段を有するＡＴＭコネクション装置と、ユーザ・ネットワーク・インタフェースにより設定変更できる端末識別情報とそれに対応するＡＴＭ網での接続情報を少なくとも含む端末装置の接続情報を蓄積保持する端末接続情報記憶手段を有しＡＴＭ網に接続しているネットワークサービス制御装置とを備えたＡＴＭ網でのデータ通信方法であって、端末装置から前記ＡＴＭコネクション装置に相手端末装置への接続要求を送出するステップと、前記ＡＴＭコネクション装置が前記接続要求を受信すると、前記ネットワークサービス制御装置にＡＴＭ網を介してコネクション接続するステップと、該コネクション接続すると前記ネットワークサービス制御装置が、前記端末装置からの接続要求内容に対応する接続情報を前記端末接続記憶手段から読み出し、ユーザ・ネットワーク・インタフェースにより前記ＡＴＭコネクション装置に送信するステップと、前記接続情報を前記ＡＴＭコネクション装置が受信すると、当該ＡＴＭコネクション装置と前記ネットワークサービス制御装置とのコネクションを切断するステップと、前記ＡＴＭコネクション装置が前記受信した接続情報に基づきＡＴＭ網を介して接続先端末装置とのコネクションを確立するステップと、前記ＡＴＭコネクション装置が前記コネクション切替手段により、前記端末装置または前記接続先端末装置からデータを受信したら他方の端末装置のコネクションにより当該受信したデータを送出するステップとを有することを特徴とする。
【００１５】
また、本発明は、端末装置およびＡＴＭ網に接続制御する手段と、当該接続している端末装置とのコネクションと当該接続しているＡＴＭ網を介した他装置とのコネクションとを接続するコネクション切替手段を有するＡＴＭコネクション装置と、ユーザ・ネットワーク・インタフェースにより設定変更できる端末識別情報とそれに対応するＡＴＭ網での接続情報を少なくとも含む端末装置の接続情報を蓄積保持する端末接続情報記憶手段を有しＡＴＭ網に接続しているネットワークサービス制御装置とを備えたＡＴＭ網でのデータ通信方法であって、発呼側端末装置がＡＴＭ網を介して前記ネットワークサービス制御装置に接続するステップと、前記発呼側端末装置からユーザ・ネットワーク・インタフェースにより前記発呼側端末装置からの接続要求内容に対応する接続情報を前記端末情報記憶手段から読み出すステップと、該読み出した接続情報から接続先装置がＡＴＭコネクション装置を介して接続されていると判明した場合は、ネットワークサービス制御装置は、前記発呼側端末装置とのコネクションを切断し、該読み出されたＡＴＭコネクション装置と接続し、前記発呼側端末装置および接続先端末装置に関する情報を前記ユーザ・ネットワーク・インタフェースにより前記接続したＡＴＭコネクション装置に送信するステップと、ＡＴＭコネクション装置が当該情報を受信すると、ＡＴＭコネクション装置とネットワークサービス制御装置とのコネクションを切断するステップと、前記ＡＴＭコネクション装置が前記発呼側端末装置とＡＴＭ網を介してコネクションを確立し、接続先端末装置とコネクションを確立するステップと、前記ＡＴＭコネクション装置は、前記コネクション切替手段により、前記端末装置または前記接続先端末装置からデータを受信したら他方の端末装置のコネクションにより当該受信したデータを送出するステップとを有することを特徴とする。
【００１６】
【発明の実施の形態】
【００１７】
【実施例】
（第一実施例）
本発明第一実施例の構成を図１を参照し説明する。図１は本発明第一実施例の構成を示す図である。
【００１８】
本発明はＡＴＭ通信網であって、ＡＴＭ交換網１に対して接続制御を行うＡＴＭコネクション端末２と、そのＡＴＭ交換網１の接続情報が蓄積され到来する接続要求に対応する接続情報を読出しその要求先に接続指示として送出するネットワーク・サービス制御装置３とが、それぞれＵＮＩを介して接続されたところにある。
【００１９】
ＡＴＭコネクション端末２は、ユーザからの呼接続要求をＡＴＭ交換網１を介してネットワーク・サービス制御装置３に送出し、このネットワーク・サービス制御装置３からその呼接続要求に対して送出される接続指示を受信する。この接続指示にしたがって宛先ユーザに対する接続を行う。この宛先ユーザに対する接続を前記呼接続要求を発したユーザとその宛先ユーザとの間の接続に接続切替を行う。
【００２０】
本発明第一実施例は、ユーザ端末ＴＥ1 がＡＴＭコネクション端末２に固定的に接続された例である。本発明第一実施例は、ＡＴＭ交換網１にＵＮＩ接続されるＡＴＭコネクション端末２が収容する固定端末であるユーザ端末ＴＥ1 から特定のサービス要求が発行されると、まず、ＡＴＭコネクション端末２に、この発行が通知される。
【００２１】
ＡＴＭコネクション端末２は、ＡＴＭ交換網１にＵＮＩにて接続されるネットワーク・サービス制御装置３への接続要求を新たに発行し、ＡＴＭ交換網１を介してこのネットワーク・サービス制御装置３に接続される。これにより、ユーザ端末ＴＥ1 とネットワーク・サービス制御装置３が接続され、Ｕプレーンによる通信がこの二者間で可能となる。ネットワーク・サービス制御装置３は、ユーザ端末ＴＥ1 の加入者端末情報を情報蓄積装置に持ち、要求サービス分析の後に、その情報を基に、このＵプレーン通信によりこの要求端末の妥当性確認を行い、妥当性確認後、ＡＴＭコネクション端末２に対して、接続先加入者端末への接続指示を行い、ユーザ端末ＴＥ1 とこの接続先加入者端末であるユーザ端末ＴＥＡ1 が接続され、Ｕプレーン通信がこの二者間で可能となり、要求サービスが実現する。本発明第一実施例では、ユーザ端末ＴＥ1 はＡＴＭ端末である必要はない。
【００２２】
本発明第一実施例の手順を図２を参照して説明する。ステップ１）ユーザ端末ＴＥ1 の利用者がユーザ端末ＴＥ1 に対してサービス要求を行うと、ユーザ端末ＴＥ1 はそのサービス要求を呼接続要求としてＡＴＭコネクション端末２に送信する。
【００２３】
ステップ２）ＡＴＭコネクション端末２は、ユーザ端末ＴＥ1 からの呼接続要求を受けると、その旨をネットワーク・サービス制御装置３に送信する。
【００２４】
ステップ３）これにより、ユーザ端末ＴＥ1 とネットワーク・サービス制御装置３との間でＵプレーン通信が行われる。このとき、ネットワーク・サービス制御装置３はＡＴＭコネクション端末２に対し、ユーザ端末ＴＥ1 が要求するサービスを実現するために必要な接続先ＡＴＭ端末への接続指示を与える。
【００２５】
ステップ４）ＡＴＭコネクション端末２は、ネットワーク・サービス制御装置３からの接続指示を受け取ると、ネットワーク・サービス制御装置３との接続の切断を要求する。これにより、ＡＴＭコネクション端末２とネットワーク・サービス制御装置３とのＵプレーン通信は切断される。
【００２６】
ステップ５）続いて、ＡＴＭコネクション端末２は、ネットワーク・サービス制御装置３から与えられた接続指示にしたがって、ユーザ端末ＴＥＡ1 に呼接続要求を発行する。
【００２７】
ステップ６）この呼接続要求にしたがって、ＡＴＭコネクション端末２とユーザ端末ＴＥＡ1 との間でコネクションが設定されると、ＡＴＭコネクション端末２は、ユーザ端末ＴＥ1 とＡＴＭコネクション端末２とのコネクションと、ユーザ端末ＴＥＡ1 とＡＴＭコネクション端末２とのコネクションとをコネクション切替えを行うことにより接続する。
【００２８】
ステップ７）これにより、ユーザ端末ＴＥ1 とＴＥＡ1 との間でＵプレーン通信を行うことができる。
【００２９】
（第二実施例）
本発明第二実施例を図３を参照して説明する。図３は本発明第二実施例の構成を示す図である。ＡＴＭ交換網１にＵＮＩにて接続されるＡＴＭ固定端末であるユーザ端末ＴＥＡ2 の端末利用者から特定のサービス要求が行われると、ユーザ端末ＴＥＡ2 は、ＡＴＭ交換網１にＵＮＩにて接続されるネットワーク・サービス制御装置３への接続要求を発行する。それによりこの二者間がＡＴＭ交換網１を介して接続され、Ｕプレーン通信が可能となり、サービス要求および接続先ＡＴＭ固定端末番号など、サービスに必要な信号情報が送受信される。ネットワーク・サービス制御装置３は、ＡＴＭ交換網１にＵＮＩにて接続されるＡＴＭコネクション端末２への接続要求を新たに発行し、このＡＴＭ交換網１を介して、このＡＴＭコネクション端末２に接続される。それにより、Ｕプレーンによる通信がこの二者間で可能となり、ユーザ端末ＴＥＡ2 からＴＥＡ1 への呼接続指示をこのＡＴＭコネクション端末２に対して行う。
【００３０】
このＡＴＭコネクション端末２は、ユーザ端末ＴＥＡ2 およびＴＥＡ1 とそれぞれ接続した後にコネクション切替え処理を行い、この二者間のコネクションを接続することによりＵプレーン通信が可能となり、要求サービスが実現する。
【００３１】
本発明第二実施例の手順を図４を参照して説明する。ステップ１１）ユーザ端末ＴＥＡ2 の利用者がユーザ端末ＴＥＡ2 に対してサービス要求を行うと、ユーザ端末ＴＥＡ2 はこれを受け、ネットワーク・サービス制御装置３に呼接続要求を発行する。
【００３２】
ステップ１２）この呼接続要求にしたがって、ユーザ端末ＴＥＡ2 とネットワーク・サービス制御装置３との間でＵプレーン通信が行われる。このＵプレーン通信の中で、ユーザ端末ＴＥＡ2 からネットワーク・サービス制御装置３にサービス要求が通知される。
【００３３】
ステップ１３）ネットワーク・サービス制御装置３はユーザ端末ＴＥＡ2 からのサービス要求を受け取ると、Ｕプレーン通信を切断する。
【００３４】
ステップ１４）ネットワーク・サービス制御装置３は、ユーザ端末ＴＥＡ2 から受け取ったサービス要求にしたがって、そのサービスを実現するための呼接続先をＡＴＭコネクション端末２に通知するために、呼接続要求をＡＴＭコネクション端末２に発行する。
【００３５】
ステップ１５）この呼接続要求を受けたＡＴＭコネクション端末２は、ネットワーク・サービス制御装置３との間でＵプレーン通信を行い、ネットワーク・サービス制御装置３から要求されたサービスを実現するための呼接続先の情報を受け取る。
【００３６】
ステップ１６）ネットワーク・サービス制御装置３は、ＡＴＭコネクション端末２に呼接続先の情報を渡すと、Ｕプレーン通信を切断するための切断要求をＡＴＭコネクション端末２に発行する。
【００３７】
ステップ１７）ＡＴＭコネクション端末２は、呼接続要求をユーザ端末ＴＥＡ2 に発行する。
【００３８】
ステップ１８）この呼接続要求にしたがってユーザ端末ＴＥＡ2 とＡＴＭコネクション端末２との間でＵプレーン通信が行われる。
【００３９】
ステップ１９）さらに、ＡＴＭコネクション端末２は、ネットワーク・サービス制御装置３から受け取った呼接続先の情報にしたがって、ユーザ端末ＴＥＡ1 に呼接続要求を発行する。
【００４０】
ステップ２０）この呼接続要求にしたがって、ユーザ端末ＴＥＡ1 とＡＴＭコネクション端末２との間でＵプレーン通信のためのコネクションが設定される。
【００４１】
ステップ２１）ＡＴＭコネクション端末２は、ユーザ端末ＴＥＡ2 とＡＴＭコネクション端末２との間で、既に設定されているコネクションと、ユーザ端末ＴＥＡ1 とＡＴＭコネクション端末２との端末で設定されたコネクションとをコネクションを切替えることにより接続する。
【００４２】
ステップ２２）これにより、ユーザ端末ＴＥＡ2 とＴＥＡ1 との間でＵプレーン通信を行うことができる。
【００４３】
（第三実施例）
本発明第三実施例を図５を参照して説明する。図５は本発明第三実施例の構成を示す図である。本発明第三実施例は、ＡＴＭ交換網１にＵＮＩにて接続されるＡＴＭ固定端末であるユーザ端末ＴＥＡ3 の端末利用者から特定のサービス要求が行われると、ユーザ端末ＴＥＡ3 は、ＡＴＭ交換網１にＵＮＩにて接続されるネットワーク・サービス制御装置３の番号を自動ダイヤルし、接続要求を発行する。するとこの二者間がこのＡＴＭ交換網１を介して接続され、Ｕプレーン通信が可能となり、サービス要求が通知される。このネットワーク・サービス制御装置３は、要求サービスの分析を行うことにより、接続先ＡＴＭ固定端末番号であるユーザ端末ＴＥＡ1 を決定し、ユーザ端末ＴＥＡ3 に通知する。ユーザ端末ＴＥＡ3 は、コネクション切替え処理を行い、ユーザ端末ＴＥＡ1 の番号に対して新たに接続要求を発行し、この二者間がこのＡＴＭ交換網１を介して接続され、Ｕプレーン通信が可能となり、要求サービスが実現する。
【００４４】
本発明第一実施例では、一つのＡＴＭコネクション端末２に複数のユーザ端末を収容する形態とし、その内のユーザ端末ＴＥ1 を例にとって説明したが、本発明第三実施例では、ユーザ端末ＴＥＡ3 内にＡＴＭコネクション端末２に相当する機能を内蔵した形態をとっている。
【００４５】
本発明第三実施例の手順を図６を参照して説明する。ステップ３１）ユーザ端末ＴＥＡ3 の利用者がユーザ端末ＴＥＡ3 にサービス要求を行うと、ユーザ端末ＴＥＡ3 はネットワーク・サービス制御装置３に対して呼接続要求を発行する。
【００４６】
ステップ３２）ネットワーク・サービス制御装置３はこれを受けてユーザ端末ＴＥＡ3 との間でＵプレーン通信を行う。
【００４７】
ステップ３３）このＵプレーン通信において、ユーザ端末ＴＥＡ3 はネットワーク・サービス制御装置３にサービス要求を通知する。
【００４８】
ステップ３４）ネットワーク・サービス制御装置３はこの通知を受けてユーザ端末ＴＥＡ3 にこのサービスを実現するための接続先番号を通知する。
【００４９】
ステップ３５）ネットワーク・サービス制御装置３はユーザ端末ＴＥＡ3 に接続先番号を通知すると、ユーザ端末ＴＥＡ3 とのＵプレーン通信を切断するための切断要求をユーザ端末ＴＥＡ3 に発行する。
【００５０】
ステップ３６）これを受けてユーザ端末ＴＥＡ3 はコネクション切替えを行い、ステップ３７）通知された接続先番号に呼接続要求を発行する。
【００５１】
ステップ３８）この呼接続要求はユーザ端末ＴＥＡ1 に転送され、ユーザ端末ＴＥＡ2 とＴＥＡ1 との間でＵプレーン通信が行われる。
【００５２】
（第四実施例）
本発明第四実施例を図７を参照して説明する。図７は本発明第四実施例の構成を示す図である。本発明第四実施例は、ＡＴＭ交換網１にＵＮＩにて接続され、コネクション切替え機能を有するＡＴＭコネクション基地局２０が収容する移動端末Ｍ1 の端末利用者から特定のサービス要求が行われると、この移動端末Ｍ1 は、このＡＴＭ交換網１にＵＮＩにて接続されるネットワーク・サービス制御装置３の番号を自動ダイヤルし、接続要求を発行する。この発行は、ＡＴＭコネクション基地局２０に通知され、ＡＴＭコネクション基地局２０は、ネットワーク・サービス制御装置３への接続要求を新たに発行し、ＡＴＭ交換網１を介して、ネットワーク・サービス制御装置３に接続される。それにより、要求移動端末Ｍ1 とネットワーク・サービス制御装置３が接続され、Ｕプレーンによる通信がこの二者間で可能となる。ネットワーク・サービス制御装置３は、加入者端末の加入者端末情報を情報蓄積装置に持ち、要求サービス分析の後に、その情報を基に、Ｕプレーン通信により要求移動端末Ｍ1 の妥当性確認を行い、妥当性確認後に、ＡＴＭコネクション基地局２０に対して、接続先端末であるユーザ端末ＴＥＡ1 への接続指示を行い、要求移動端末Ｍ1 とユーザ端末ＴＥＡ1 とが接続され、Ｕプレーン通信がこの二者間で可能となり、要求サービスが実現する。
【００５３】
本発明第四実施例の手順を図８を参照して説明する。ステップ４１）ユーザ端末Ｍ1 の利用者が位置登録要求をユーザ端末Ｍ1 に行うと、ユーザ端末Ｍ1 は無線回線を介して呼接続要求をＡＴＭコネクション基地局２０に発行する。
【００５４】
ステップ４２）ＡＴＭコネクション基地局２０はこれを受けてネットワーク・サービス制御装置３に呼接続要求を発行する。
【００５５】
ステップ４３）ネットワーク・サービス制御装置３は、この呼接続要求を受けてユーザ端末Ｍ1 との間でＵプレーン通信を行う。
【００５６】
ステップ４４）このＵプレーン通信では、移動端末Ｍ1 の認証処理の後に位置登録処理が行われる。
【００５７】
このようにして、移動端末Ｍ1 の位置登録が行われた後に、ステップ５１）ユーザ端末Ｍ1 の利用者がサービス要求をユーザ端末Ｍ1 に行うと、ユーザ端末Ｍ1 は無線回線を介して呼接続要求をＡＴＭコネクション基地局２０に発行する。
【００５８】
ステップ５２）ＡＴＭコネクション基地局２０はこれを受けてネットワーク・サービス制御装置３に呼接続要求を発行する。
【００５９】
ステップ５３）ネットワーク・サービス制御装置３は、この呼接続要求を受けてユーザ端末Ｍ1 との間でＵプレーン通信を行う。
【００６０】
ステップ５４）このＵプレーン通信では、ネットワーク・サービス制御装置３はユーザ端末Ｍ1 の認証処理の後にサービス要求を受け付ける。
【００６１】
ステップ５５）ネットワーク・サービス制御装置３はこのサービス要求にしたがって、このサービスを実現するための接続先ＡＴＭ端末への接続指示をＡＴＭコネクション基地局２０に発行する。
【００６２】
ステップ５６）ＡＴＭコネクション基地局２０は、この接続指示を受けるとネットワーク・サービス制御装置３とのＵプレーン通信を切断するための切断要求をネットワーク・サービス制御装置３に発行する。
【００６３】
ステップ５７）続いて、ＡＴＭコネクション基地局２０は接続指示にしたがって呼接続要求をユーザ端末ＴＥＡ1 に発行する。
【００６４】
ステップ５８）ユーザ端末ＴＥＡ1 はこの呼接続要求を受け取り、ＡＴＭコネクション基地局２０との間にコネクションを設定すると、ＡＴＭコネクション基地局２０はコネクションを切り替える。
【００６５】
ステップ５９）これにより、ユーザ端末Ｍ1 とＴＥＡ1 とはＵプレーン通信を行うことできる。
【００６６】
（第五実施例）
本発明第五実施例を図９を参照して説明する。図９は本発明第五実施例の構成を示す図である。本発明第五実施例は、ＡＴＭ交換網１、ネットワーク・サービス制御装置３、加入者Ａが有する移動端末Ｍ1 、加入者Ｂが有する移動端末Ｍ2 、移動端末Ｍ1 を収容するＡＴＭコネクション基地局２０1 、移動端末Ｍ2 を収容するＡＴＭコネクション基地局２０2 により構成される。
【００６７】
ＡＴＭ交換網１は、ＡＴＭ交換機１１、および第一の回線１２−１〜１２−３により構成される。図９の例では、ＡＴＭ交換機１１とＡＴＭコネクション基地局２０1 が第一の回線１２−１で接続され、ＡＴＭ交換機１１とＡＴＭコネクション基地局２０2 が第一の回線１２−２で接続され、ＡＴＭ交換機１１とネットワーク・サービス制御装置３が第一の回線１２−３で接続されている。また移動端末Ｍ1 とＡＴＭコネクション基地局２０1 は第二の回線５０−１で無線接続され、移動端末Ｍ2 とＡＴＭコネクション基地局２０2 は第二の回線５０−２で無線接続されている。ＡＴＭ交換機１１は呼毎の接続と、ネットワーク・サービス制御装置３とＡＴＭコネクション基地局２０1 間、ネットワーク・サービス制御装置３とＡＴＭコネクション基地局２０2 間、およびＡＴＭコネクション基地局２０1 とＡＴＭコネクション基地局２０2 間の制御情報の送受信を行っている。
【００６８】
ここで、図１０を参照してネットワーク・サービス制御装置３の構成を示す。ネットワーク・サービス制御装置３は、提供サービスに応じた制御手順を示すプログラムを保持するサービス制御部２１、蓄積した加入者端末情報を管理する加入者端末情報管理部２２、およびＡＴＭ交換機との間で通信を行うための制御情報の送受信および接続制御などの各種制御を行う通信制御部２３より構成される。以下に説明する手順では、ネットワーク・サービス制御装置３の動作を絡めて説明を行うが、本発明第一〜第四実施例についてもネットワーク・サービス制御装置３の動作は共通に説明することができる。
【００６９】
ここで、図１１を参照してＡＴＭコネクション基地局２０、２０1 、２０2 の構成を示す。ＡＴＭコネクション基地局２０、２０1 、２０2 は同じ構成なので、ここではＡＴＭコネクション基地局２０1 について説明する。ＡＴＭコネクション基地局２０1 は、ＡＴＭコネクション基地局２０1 に収容されている移動端末（ＡＴＭコネクション端末の場合は、収容されている固定端末）Ｍ1 からの要求サービスに応じたコネクション制御手順を保持するコネクション制御部４１および対移動端末対ＡＴＭ交換機との間で通信制御情報の送受信および接続制御等の各種制御を行う通信制御部４２より構成される。以下に説明する手順では、ＡＴＭコネクション基地局２０1 の動作を絡めて説明を行うが、本発明第一および第二実施例におけるＡＴＭコネクション端末２あるいは本発明第三実施例におけるＡＴＭコネクション基地局２０についてもその動作は共通に説明することができる。
【００７０】
加入者端末を移動端末Ｍ1 、Ｍ2 として、本発明第五実施例を説明する。本発明第五実施例では、移動端末Ｍ1 、Ｍ2 とこの移動端末Ｍ1 、Ｍ2 を収容するＡＴＭコネクション基地局２０1 、２０2 間の回線は無線形態となる。
【００７１】
移動端末Ｍ1 が端末利用者からの位置登録要求を受けると、自動的にこのネットワーク・サービス制御装置３の番号をダイヤルし、このネットワーク・サービス制御装置３への接続要求が発行され、まずこの移動端末Ｍ1 を収容しているＡＴＭコネクション基地局２０1 にこの発行が通知される。このＡＴＭコネクション基地局２０1 は新たにネットワーク・サービス制御装置３への接続要求を発行し、ＡＴＭ交換網１を介して、このネットワーク・サービス制御装置３に接続される。要求移動端末Ｍ1 とＡＴＭコネクション基地局２０1 間のＵプレーン通信、およびＡＴＭコネクション基地局２０1 とネットワーク・サービス制御装置３間のＵプレーン通信を用いて、ネットワーク・サービス制御装置３は、あらかじめ登録されている加入者端末情報より、要求移動端末Ｍ1 の認証を行い、妥当性確認後にこの要求移動端末Ｍ1 の位置情報を更新する。
【００７２】
本発明第五実施例の手順を図１２を参照して説明する。すなわち、ステップ６１）移動端末Ｍ1 は、端末利用者からの位置登録要求を受けると、自動的にネットワーク・サービス制御装置３の番号をダイヤルし、このネットワーク・サービス制御装置３への接続要求が発行され、第二の回線５０−１へ接続される。
【００７３】
ステップ６２）移動端末Ｍ1 とＡＴＭコネクション基地局２０は、無線回線により接続されているため、この呼接続要求はＡＴＭコネクション基地局２０に着信する。
【００７４】
ステップ６３）ＡＴＭコネクション基地局２０1 の通信制御部４２は、当該発行を受信すると、当該発行をコネクション制御部４１に通知し、通知を受けたコネクション制御部４１は、位置登録処理プログラムを起動する。
【００７５】
ステップ６４）ＡＴＭコネクション基地局２０1 のコネクション制御部４１は、この位置登録プログラムにしたがい、移動端末Ｍ1 との間でＵプレーン通信を行い、必要情報の送受を行う。
【００７６】
ステップ６５）ＡＴＭコネクション基地局２０1 のコネクション制御部４１は、ネットワーク・サービス制御部３への接続を特定する。
【００７７】
ステップ６６）ＡＴＭコネクション基地局２０1 のコネクション制御部４１は、通信制御部４２を介し、特定されたネットワーク・サービス制御装置３に対しての呼接続要求を発行する。
【００７８】
ステップ６７）ＡＴＭコネクション基地局２０1 とＡＴＭ交換機１１は、第一の回線１２−１で接続され、またＡＴＭ交換機１１とネットワーク・サービス制御装置３は第一の回線１２−３で接続されているため、ＡＴＭコネクション基地局２０1 は、ネットワーク・サービス制御装置３と、第一の回線１２−１、ＡＴＭ交換機１１、および第一の回線１２−３を介して接続される。
【００７９】
ステップ６８）ネットワーク・サービス制御装置３の通信制御部２３は、ＡＴＭコネクション基地局２０1 からの接続要求を受信すると、当該発行をサービス制御部２１に通知し、通知を受けたサービス制御部２１は、位置登録処理プログラムを起動する。
【００８０】
ステップ６９）サービス制御部２１は、起動されたこの位置登録処理プログラムにしたがい、ＡＴＭコネクション基地局２０1 との間でＵプレーン通信を行い、必要情報の送受を行う。すなわち、ＡＴＭコネクション基地局２０1 のコネクション制御部４１は、この位置登録プログラムにしたがい、対ネットワーク・サービス制御装置３間Ｕプレーン通信において、必要情報の送受を行う。
【００８１】
ステップ７０）ネットワーク・サービス制御装置３のサービス制御部２１は、ＡＴＭコネクション基地局２０1 から受信した移動端末Ｍ1 の必要情報をもとに、加入者端末情報管理部２２に問い合わせを行い、移動端末Ｍ1 の妥当性を確認し、認証処理を行う。
【００８２】
ステップ７１）サービス制御部２１は、移動端末Ｍ1 の妥当性を確認後、加入者端末情報管理部２２に対して移動端末Ｍ1 の蓄積情報の位置情報更新を指示し、位置登録処理が遂行される。
【００８３】
移動端末Ｍ1 （以下、発側移動端末Ｍ1 ）が端末利用者からの基本呼接続要求を受けると、まず、この端末利用者に対して、接続先移動端末Ｍ2 （以下、着側移動端末Ｍ2 ）の加入者番号の入力を促す。この端末利用者が着側移動端末Ｍ2 の加入者番号を入力すると、発側移動端末Ｍ1 は自動的にネットワーク・サービス制御装置３の番号をダイヤルし、ネットワーク・サービス制御装置３への接続要求が発行され、まず発側移動端末Ｍ1 を収容しているＡＴＭコネクション基地局２０1 （以下、発側ＡＴＭコネクション基地局２０1 ）にこの発行が通知される。発側ＡＴＭコネクション基地局２０1 は新たにネットワーク・サービス制御装置３への接続要求を発行し、ＡＴＭ交換網１を介して、ネットワーク・サービス制御装置３に接続される。発側移動端末Ｍ1 と発側ＡＴＭコネクション基地局２０1 間のＵプレーン通信、および発側ＡＴＭコネクション基地局２０1 とネットワーク・サービス制御装置３間のＵプレーン通信を用いて、ネットワーク・サービス制御装置３は、あらかじめ登録されている加入者端末情報より、この発側移動端末Ｍ1 の認証、および発信妥当性確認を行い、妥当性確認後に、着側移動端末Ｍ2 の位置情報をこの発側ＡＴＭコネクション基地局２０1 に通知する。
【００８４】
発側ＡＴＭコネクション基地局２０1 はこの位置情報を基に、着側移動端末Ｍ2 を収容するＡＴＭコネクション基地局２０2 （以下、着側ＡＴＭコネクション基地局２０2 ）への接続要求を発行し、ＡＴＭ交換網１を介して、この着側ＡＴＭコネクション基地局２０2 に接続される。発側ＡＴＭコネクション基地局２０1 と着側ＡＴＭコネクション基地局２０2 間のＵプレーン通信により、着側移動端末Ｍ2 の加入者番号が着側ＡＴＭコネクション基地局２０2 に通知される。
【００８５】
着側ＡＴＭコネクション基地局２０2 はネットワーク・サービス制御装置３に接続要求を発行し、同時にこの加入者番号をもとに、着側移動端末Ｍ2 に接続要求を発行する。ネットワーク・サービス制御装置３と着側ＡＴＭコネクション基地局２０2 間のＵプレーン通信、および着側ＡＴＭコネクション基地局２０2 と着側移動端末Ｍ2 間のＵプレーン通信を用いて、ネットワーク・サービス制御装置３は、あらかじめ登録されている加入者端末情報より、着側移動端末Ｍ2 の認証、および着信妥当性確認を行い、妥当性確認後、着側移動端末Ｍ2 に対して発側移動端末Ｍ1 からの着信号を通知する。この着側移動端末Ｍ2 の端末利用者が、この着信号に対する応答を許可したら、この着側移動端末Ｍ2 は応答許可をこの着側ＡＴＭコネクション基地局２０2 に通知する。この着側ＡＴＭコネクション基地局２０2 は、同様に応答許可をこの発側ＡＴＭコネクション基地局２０1 に通知し、この発側ＡＴＭコネクション基地局２０1 と着側ＡＴＭコネクション基地局２０2 間のＵプレーン通信と、この着側ＡＴＭコネクション基地局２０2 から着側移動端末Ｍ2 間のＵプレーン通信を接続する。
【００８６】
発側ＡＴＭコネクション基地局２０1 は、同様に応答許可をこの発側移動端末Ｍ1 に通知し、この発側移動端末Ｍ1 から発側ＡＴＭコネクション基地局２０1 間のＵプレーン通信と、発側ＡＴＭコネクション基地局２０1 から着側ＡＴＭコネクション基地局２０2 間のＵプレーン通信を接続する。それにより、発側移動端末Ｍ1 と着側移動端末Ｍ2 間の通信が可能となる。
【００８７】
すなわち、ステップ８１）移動端末Ｍ1 は、端末利用者からの基本呼接続要求を受けると、この端末利用者に対して、接続先移動端末の加入者番号の入力を促す。
【００８８】
ステップ８２）この端末利用者が接続先移動端末Ｍ2 の加入者番号を入力すると、移動端末Ｍ1 は自動的にネットワーク・サービス制御装置３の番号をダイヤルし、ネットワーク・サービス制御装置３への接続要求を発行し、第二の回線５０−１へ接続される。移動端末Ｍ1 とＡＴＭコネクション基地局２０1 は、第二の回線５０−１で接続されているため、当該発行はＡＴＭコネクション基地局２０1 に着信する。
【００８９】
ステップ８３）ＡＴＭコネクション基地局２０1 の通信制御部４２は、当該発行を受信すると、当該発行をコネクション制御部４１に通知し、通知を受けたコネクション制御部４１は、基本呼発側接続処理プログラムを起動する。
【００９０】
ステップ８４）ＡＴＭコネクション基地局２０1 のコネクション制御部４１は、この基本呼発側接続処理プログラムにしたがい、移動端末Ｍ1 との間でＵプレーン通信を行い、必要情報の送受を行う。
【００９１】
ステップ８５）ＡＴＭコネクション基地局２０1 のコネクション制御部４１は、ネットワーク・サービス制御装置３への接続を特定する。
【００９２】
ステップ８６）ＡＴＭコネクション基地局２０1 のコネクション制御部４１は、通信制御部４２を介し、特定されたネットワーク・サービス制御装置３に対しての呼接続要求を発行する。ＡＴＭコネクション基地局２０1 とＡＴＭ交換機１１は、第一の回線１２−１で接続され、またＡＴＭ交換機１１とネットワーク・サービス制御装置３は、第一の回線１２−３で接続されているため、ＡＴＭコネクション基地局２０1 は、ネットワーク・サービス制御装置３と、第一の回線１２−１、ＡＴＭ交換機１１、および第一の回線１２−３を介して接続される。
【００９３】
ステップ８７）ネットワーク・サービス制御装置３の通信制御部２３は、ＡＴＭコネクション基地局２０1 からの呼接続要求を受信すると、当該発行をサービス制御部２１に通知し、通知を受けたサービス制御部２１は、基本呼発側接続処理プログラムを起動する。
【００９４】
ステップ８８）サービス制御部２１は、この基本呼発側接続処理プログラムにしたがい、ＡＴＭコネクション基地局２０1 との間でＵプレーン通信を行い、必要情報の送受を行う。
【００９５】
ＡＴＭコネクション基地局２０1 のコネクション制御部４１は、この基地呼発側接続処理プログラムにしたがい、対ネットワーク・サービス制御装置３間Ｕプレーン通信において、必要情報の送受を行う。
【００９６】
ネットワーク・サービス制御装置３のサービス制御部２１は、ＡＴＭコネクション基地局２０1 から受信した移動端末Ｍ1 の必要情報を基に、加入者端末情報管理部２２に問い合わせを行い、移動端末Ｍ1 の認証処理を行い、かつ移動端末Ｍ1 の発信妥当性を確認する。
【００９７】
サービス制御部２１は、移動端末Ｍ1 の妥当性を確認後に、ＡＴＭコネクション基地局２０1 から受信した接続先の移動端末Ｍ2 の加入者番号により、加入者端末情報管理部２２から、移動端末Ｍ2 の位置情報を取得する。
【００９８】
サービス制御部２１は、ＡＴＭコネクション基地局２０1 に対して、この位置情報を通知する。
【００９９】
ＡＴＭコネクション基地局２０1 のコネクション制御部４１は、通信制御部４２によりこの位置情報を受信し、この位置情報をもとに、ＡＴＭコネクション基地局２０2 への接続を特定する。
【０１００】
ステップ８９）ネットワーク・サービス制御装置３のサービス制御部２１は、通信制御部２３を介し、ＡＴＭコネクション基地局２０1 に対しての解放要求を発行する。
【０１０１】
ステップ９０）ＡＴＭコネクション基地局２０1 のコネクション制御部４１は、通信制御部４２を介し、特定されたＡＴＭコネクション基地局２０2 に対しての呼接続要求を発行する。
【０１０２】
ステップ９１）ＡＴＭコネクション基地局２０2 とＡＴＭ交換機１１は、第一の回線１２−２で接続されているため、ＡＴＭコネクション基地局２０1 は、ＡＴＭコネクション基地局２０2 と、第一の回線１２−１、ＡＴＭ交換機１１、および第一の回線１２−２を介して接続される。
【０１０３】
ＡＴＭコネクション基地局２０2 の通信制御部４２は、ＡＴＭコネクション基地局２０1 からの接続要求を受信すると、当該発行をコネクション制御部４１に通知し、通知を受けたコネクション制御部４１は、基本呼着側接続処理プログラムを起動する。
【０１０４】
ＡＴＭコネクション基地局２０2 のコネクション制御部４１は、この基本呼着側接続処理プログラムにしたがい、ＡＴＭコネクション基地局２０1 との間でＵプレーン通信を行い、必要情報の送受を行う。
【０１０５】
ステップ９２）ＡＴＭコネクション基地局２０2 のコネクション制御部４１は、ＡＴＭコネクション基地局２０1 より受信した必要情報を基に、ネットワーク・サービス制御装置３への接続を特定する。
【０１０６】
ＡＴＭコネクション基地局２０2 のコネクション制御部４１は、通信制御部４２を介し、特定されたネットワーク・サービス制御装置３に対しての呼接続要求を発行する。
【０１０７】
ステップ９３）ＡＴＭコネクション基地局２０2 は、ネットワーク・サービス制御装置３と、第一の回線１２−２、ＡＴＭ交換機１１、および第一の回線１２−３を介して接続され、Ｕプレーン通信を行う。ＡＴＭコネクション基地局２０2 のコネクション制御部４１は、ＡＴＭコネクション基地局２０1 より受信した必要情報を基に、移動端末Ｍ2 への接続を特定する。
【０１０８】
ステップ９４）ＡＴＭコネクション基地局２０2 のコネクション制御部４１は、通信制御部４２を介し、移動端末Ｍ2 に対しての呼接続要求を発行する。
【０１０９】
ステップ９５）ＡＴＭコネクション基地局２０2 と移動端末Ｍ2 は、第二の回線５０−２で接続されているため、ＡＴＭコネクション基地局２０2 は、移動端末Ｍ2 と、第二の回線５０−２を介して接続される。ＡＴＭコネクション基地局２０2 のコネクション制御部４１は、この基本呼着側接続処理プログラムにしたがい、移動端末Ｍ2 の間でＵプレーン通信を行い、必要情報の送受を行う。
【０１１０】
ステップ９６）ネットワーク・サービス制御装置３の通信制御部２３は、ＡＴＭコネクション基地局２０2 からの接続要求を受信すると、当該発行サービス制御部２１に通知し、通知を受けたサービス制御部２１は、基本呼着側接続処理プログラムを起動する。
【０１１１】
ステップ９７）サービス制御部２１は、この基本呼着側接続処理プログラムにしたがい、ＡＴＭコネクション基地局２０2 との間でＵプレーン通信を行い、必要情報の送受を行う。
【０１１２】
ステップ９８）ＡＴＭコネクション基地局２０2 のコネクション制御部４１は、この基本呼着側接続処理プログラムにしたがい、対ネットワーク・サービス制御装置３間Ｕプレーン通信において、必要情報の送受を行う。
【０１１３】
ステップ９９）ネットワーク・サービス制御装置３のサービス制御部２１は、ＡＴＭコネクション基地局２０2 より受信した必要情報を基に、加入者端末情報管理部２２に問い合わせを行い、移動端末Ｍ2 の認証処理を行い、かつ着信妥当性を確認する。
【０１１４】
ステップ１００）サービス制御部２１は、移動端末Ｍ2 の妥当性を確認後に、ＡＴＭコネクション基地局２０2 に対して着信号認証完了を通知する。
【０１１５】
ステップ１０１）ＡＴＭコネクション基地局２０2 のコネクション制御部４１は、ネットワーク・サービス制御装置３から、この通信認証完了通知を受信したら、移動端末Ｍ2 に対して、移動端末Ｍ1 からの着信を通知する。
【０１１６】
ステップ１０２）ネットワーク・サービス制御装置３のサービス制御部２１は、通信制御部２３を介し、ＡＴＭコネクション基地局２０2 に対しての解放要求を発行する。
【０１１７】
ステップ１０３）移動端末Ｍ2 は、ＡＴＭコネクション基地局２０2 より、移動端末Ｍ1 からの着信通知を受信すると、移動端末Ｍ2 の端末利用者に対して、応答許可を促す。
【０１１８】
ステップ１０４）移動端末Ｍ2 は、端末利用者から応答許可を受けると、ＡＴＭコネクション基地局２０2 に対して、応答通知を行う。
【０１１９】
ステップ１０５）ＡＴＭコネクション基地局２０2 のコネクション制御部４１は、移動端末Ｍ2 からの応答通知を受信すると、ＡＴＭコネクション基地局２０1 に対して、応答通知を行う。
【０１２０】
ステップ１０６）ＡＴＭコネクション基地局２０2 のコネクション制御部４１は、対ＡＴＭコネクション基地局２０1 コネクションと、対移動端末Ｍ2 のコネクションとを切替える。
【０１２１】
ステップ１０７）これにより、ＡＴＭコネクション基地局２０1 と移動端末Ｍ2 とがＵプレーン通信を行うことができる。
【０１２２】
ステップ１０８）ＡＴＭコネクション基地局２０1 のコネクション制御部４１は、ＡＴＭコネクション基地局２０2 からの応答通知を受信すると、移動端末Ｍ1 に対して、応答通知を行う。
【０１２３】
ステップ１０９）ＡＴＭコネクション基地局２０1 のコネクション制御部４１は、対移動端末Ｍ1 コネクションと、対ＡＴＭコネクション基地局２０2 コネクションを接続する。
【０１２４】
ステップ１１０）移動端末Ｍ1 〜移動端末Ｍ2 の間のＵプレーン通信が可能となり、基本呼接続処理が遂行される。
【０１２５】
（実施例まとめ）
このように、ＡＴＭ交換網の外に、ネットワーク・サービス制御装置３およびＡＴＭコネクション端末２またはＡＴＭコネクション基地局２０、２０1 、２０2 を配置することにより、ユーザはＡＴＭ交換網を管理する通信業者にかかわりなく、ネットワーク・サービス制御装置３に登録されている内容を追加あるいは更新することができる。
【０１２６】
したがって、従来のＩＮでは、ユーザが使用している専用網の追加あるいは更新を行う必要が生じた場合には、交換網を管理する通信事業者にあらかじめその旨の届出を行い、この届出を受けた通信事業者が交換機に接続されるデータ・ベースの内容を追加あるいは更新していたが、本発明実施例で示したＡＴＭ通信網では、ユーザが自ら速やかにネットワーク・サービス制御装置の登録内容の追加あるいは更新を行うことができるため、ユーザにとって利便性が向上する。
【０１２７】
【発明の効果】
以上説明したように、本発明によれば、交換機を管理する通信業者にかかわりなく、ユーザがサービス情報を管理することができる。したがって、ＬＡＮの内外にかかわりなくユーザが設定したサービスを実現することができる。また、小規模で開発が容易な通信網をユーザが自律的に設定することができる。
【図面の簡単な説明】
【図１】本発明第一実施例の構成を示す図。
【図２】本発明第一実施例の手順を示す図。
【図３】本発明第二実施例の構成を示す図。
【図４】本発明第二実施例の手順を示す図。
【図５】本発明第三実施例の構成を示す図。
【図６】本発明第三実施例の手順を示す図。
【図７】本発明第四実施例の構成を示す図。
【図８】本発明第四実施例の手順を示す図。
【図９】本発明第五実施例の構成を示す図。
【図１０】ネットワーク・サービス制御装置の構成を示す図。
【図１１】ＡＴＭコネクション基地局の構成を示す図。
【図１２】本発明第五実施例の手順を示す図。
【符号の説明】
１  ＡＴＭ交換網
２  ＡＴＭコネクション端末
３  ネットワーク・サービス制御装置
１１  ＡＴＭ交換機
１２−１、１２−２、１２−３  第一の回線
２０、２０1 、２０2   ＡＴＭコネクション基地局
２１  サービス制御部
２２  加入者端末情報管理部
２３、４２  通信制御部
４１  コネクション制御部
５０−１、５０−２  第二の回線
Ｍ1 、Ｍ2   移動端末
ＴＥ1 、ＴＥＡ1 、ＴＥＡ2   ユーザ端末
【図１】
0003825865.tif 000002
【図２】
0003825865.tif 000003
【図３】
0003825865.tif 000004
【図４】
0003825865.tif 000005
【図５】
0003825865.tif 000006
【図６】
0003825865.tif 000007
【図７】
0003825865.tif 000008
【図８】
0003825865.tif 000009
【図９】
0003825865.tif 000010
【図１０】
0003825865.tif 000011
【図１１】
0003825865.tif 000012
【図１２】
0003825865.tif 000013